【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
下記を具備するサーバ支援された位置検出システム：
グローバル・ポジショニング・システム（ＧＰＳ）衛星から第１セットの衛星ポジショニング信号データを受信するための、クライアントＧＰＳ受信器回路、該第１セットのデータは該クライアントＧＰＳ受信器の位置を独立して確立するには不十分である；
該第１セットのデータを送信するためのクライアント送信器；
無線周波数（ＲＦ）チャネル上の無線トラフィックを検出するためのクライアント・キャリヤ検出モジュール；
無線トラフィックが該ＲＦチャネル上で検出されない時に該クライアント送信器をイネーブルにするためのクライアント送信イネーブル・モジュール；
該クライアント送信器から該第１セットのデータを受信するためのサーバ受信器；および
該サーバ受信器に連結され、該サーバ受信器により受信された該衛星データを分析するように構成されたサーバ、該サーバは該クライアントＧＰＳ受信器の該位置に関する位置情報を生成するために該第１セットのデータおよび付加的な衛星ポジショニング信号データを使用する。
【請求項２】
該付加的な衛星ポジショニング信号データを生成するために該サーバに関連する付加的なＧＰＳ受信器回路をさらに具備する、請求項１のシステム。
【請求項３】
該クライアント送信器を識別する独特の符号を生成するためにクライアント識別子モジュールをさらに具備する、請求項１のシステム。
【請求項４】
該クライアント・キャリヤ検出モジュールおよび該クライアント送信イネーブル・モジュールがクライアント・プロセッサにより実行される一連のプログラム命令を備える該クライアント・プロセッサをさらに具備する、請求項１の装置。
【請求項５】
該位置情報を表示するための表示スクリーンおよびキーボードを備える、サーバ・ユーザ・インターフェイス・モジュールをさらに具備する、請求項１の装置。
【請求項６】
該サーバ・ユーザ・インターフェイス・モジュールは該位置情報を示すためのローカル・マップの表記を備える請求項５の装置。
【請求項７】
下記をさらに具備する、請求項１の装置；
該位置情報を受信するためのクライアント受信器；
該クライアント受信器に該位置情報を送信するためのサーバ送信器；
ＲＦチャネル上の無線トラフィックを検出するためのサーバ・キャリヤ検出モジュール；および
無線トラフィックが該ＲＦチャネル上で検出されない時に該サーバ送信器をイネーブルにし、それにより該クライアント受信器に該位置情報を送信するためのサーバ送信イネーブル・モジュール。
【請求項８】
該位置情報を表示するためのディスプレイを備える、クライアント・ユーザ・インターフェイスをさらに具備する、請求項７の装置。
【請求項９】
該クライアント・ユーザ・インターフェイスが該位置情報を示すためのローカル・マップの表記をさらに具備する請求項８の装置。
【請求項１０】
該ベース・キャリヤ検出モジュールおよびベース送信イネーブル・モジュールはベース・プロセッサにより実行される一連のプログラム命令を備えるベース・プロセッサをさらに具備する、請求項７の装置。
【請求項１１】
下記を具備する、サーバ支援された位置検出の方法：
クライアント・ユニットの位置を要求する；
該位置要求に応じて該クライアント・ユニットで複数の衛星グローバル・ポジション信号を検出する；
該複数の衛星信号のセグメントを獲得する；
選択された無線周波数（ＲＦ）チャネル上に存在する無線トラフィックを検出するために選択された無線周波数チャネルを監視する；
現存する無線トラフィックがないとき、該クライアントユニットから、該選択された無線周波数チャネル上の該サーバ・ユニットに獲得された５衛星信号を表示するデータパケットを送信する；
該衛星信号セグメントの分析により該クライアント・ユニットの該位置を決定する；
ユーザ・インターフェイスで該クライアント・ユニットの該位置を表示する。
【請求項１２】
該送信されたデータ・パケットに識別データを付加することをさらに具備する請求項１１の方法、該識別データは該クライアント・ユニットの独特の識別を提供する。
【請求項１３】
下記をさらに具備する、請求項１１の方法：
選択された無線周波数（ＲＦ）チャネル上に現存する無線トラフィックを検出するために該選択されたＲＦチャネルを監視する；および
現存無線トラフィックが無い時は、該サーバ・ユニットから、該選択されたＲＦチャネル上の該クライアント・ユニットに該位置情報を送信する。
【請求項１４】
該位置要求が該クライアント・ユニットで生起する請求項１１の方法、該方法は該双方向無線を介して該クライアント・ユニットに該位置を示すデータを送信することをさらに具備する。
【請求項１５】
下記を備える、該クライアント・ユニットに該位置データを送信する請求項１４の方法：
該位置データを位置情報パケット中に組み込む；
選択された無線周波数（ＲＦ）チャネル上に現存する無線トラフィックを検出するために該選択されたＲＦチャネルを監視する；および
現存無線トラフィックが無い時は、該サーバ・ユニットから該選択されたＲＦチャネル上の該クライアント・ユニットに該位置情報パケットを送信する。
【請求項１６】
該位置情報パケットに識別データを付加することをさらに具備する請求項１５の方法、該識別データは該クライアント・ユニットの独特の識別を提供する。
【請求項１７】
移動体ユニットで複数の衛星グローバル・ポジション信号を検出することおよび該位置要求の受信に先立ってセグメントを獲得する、請求項１１の方法。
【請求項１８】
該複数の衛星グローバル・ポジション信号を移動体ユニットで検出することおよびセグメントの獲得が周期的に実行されること、および要求を受信するステップに続いて該サーバにデータ・パケットを送信することは直近のデータ・パケットを送信することを備える、請求項１７の方法。
【請求項１９】
該ユーザ・インターフェイスは該クライアント・ユニットの一部であることおよび該クライアント・ユニットの該位置を表示することは該位置をディスプレイ上に表示することを備える請求項１１の方法。
【請求項２０】
ローカル・マップを表示することおよび該クライアント・ユニットの該位置を該ローカル・マップ上に表示することをさらに具備する、請求項１９の方法。
【請求項２１】
サーバー支援位置検出システムでの使用のためのクライアントユニット、該クライアントユニットは下記を具備する：
衛星ポジショニングデータを受信するためのクライアント受信器；
クライアント受信機の位置を決定するときに使用されるサーバーへ無線周波数チャネル上でデータを送信ためのクライアント送信器；
無線周波数チャネル上で無線トラフィックを検出するためのクライアント検出器；
無線トラフィックが無線周波数チャネル上で検出されないときにのみ、クライアント送信器がデータを送信することを許可するクライアント送信器−イネーブラー。
【請求項２２】
サーバー支援位置検出システムでの使用のためのサーバーユニット、該サーバーユニットは下記を具備する；
衛星ポジショニングデータをクライアントから受信するためのサーバー受信器；
少なくとも衛星ポジショニングデータからクライアント位置情報を形成するためにサーバー受信器に接続されたサーバー；
クライアントへ位置情報を送信するためのサーバー送信器；
無線周波数チャネル上で無線トラフィックを検出するためのサーバー検出器；及び
無線トラフィックが無線周波数チャネル上で検出されないときにのみ、サーバー送信器が位置情報を送信することを許可するサーバー送信器−イネーブラー。